(57)【要約】  【課題】  デジタル記録再生機器には直接記録できるが、アナログ記録再生機器に直接記録することができないビデオ信号も、アナログ記録再生機器に記録することができる複合記録再生装置を提供する。  【解決手段】  例えば、Ｓ入力端子３で入力したＹＣビデオ信号をＶＣＲ１０に記録させる場合、切換制御回路１８は、入力セレクタ９を接点Ｃに切り換え、これに連動して入力セレクタ８を接点Ａに切り換える。これにより、Ｓ入力端子３より入力されたＹＣビデオ信号は、入力セレクタ９の接点Ｃを介してＤＶＤレコーダ１１に与えられ、ＤＶＤレコーダ１１の変換機能によりコンポジットビデオ信号に変換され、入力セレクタ８の接点Ａを介してＶＣＲ１０に送られる。この結果、Ｓ入力端子３より入力されたＹＣビデオ信号は、コンポジットビデオ信号としてＶＣＲ１０に記録されることになる。【選択図】      図１
2005318187.tif 000002
【特許請求の範囲】
【請求項１】
コンポジットビデオ信号を入力して記録／再生することが可能なアナログ記録再生機器
と、コンポジットビデオ信号とＹＣビデオ信号とデジタルビデオ信号とコンポーネントビ
デオ信号との何れかを入力して記録／再生することが可能なデジタル記録再生機器とを備
えた複合記録再生装置において、コンポジットビデオ信号を入力するための１個以上の第
１の入力端子と、ＹＣビデオ信号を入力するための第２の入力端子と、デジタルビデオ信
号を入力するための第３の入力端子と、コンポーネントビデオ信号を入力するための第４
の入力端子と、前記第１の入力端子からのコンポジットビデオ信号および前記デジタル記
録再生機器からのコンポジットビデオ信号の何れかを選択出力する第１の選択手段と、前
記第１の入力端子からのコンポジットビデオ信号と前記第２の入力端子からのＹＣビデオ
信号と前記第３の入力端子からのデジタルビデオ信号と前記第４の入力端子からのコンポ
ーネントビデオ信号との何れかを選択出力する第２の選択手段と、前記アナログ記録再生
機器からのコンポジットビデオ信号または前記デジタル記録再生機器からのコンポジット
ビデオ信号を選択出力する第３の選択手段と、該第３の選択手段からのコンポジットビデ
オ信号を外部へ出力するための第１の出力端子と、前記デジタル記録再生機器からのＹＣ
ビデオ信号を外部へ出力するための第２の出力端子と、前記デジタル記録再生機器からの
コンポーネントビデオ信号を外部へ出力するための第３の出力端子と、前記第２の選択手
段が前記第２の入力端子からのＹＣビデオ信号または前記第３の入力端子からのデジタル
ビデオ信号または前記第４の入力端子からのコンポーネントビデオ信号を選択し前記アナ
ログ記録再生機器に記録させる場合は、前記第２の選択手段の動作に連動させて前記デジ
タル記録再生機器のコンポジット出力側に前記第１の選択手段を切り換える切換制御手段
とを備えたことを特徴とする複合記録再生装置。
【請求項２】
アナログ系ビデオ信号を入力して記録／再生することが可能な第１の記録再生機器と、
デジタル系ビデオ信号またはアナログ系ビデオ信号を入力して記録／再生することが可能
な第２の記録再生機器とを備えた複合記録再生装置において、アナログ系ビデオ信号を入
力するための１個以上のアナログ系入力端子と、各種デジタル系ビデオ信号を入力するた
めの複数のデジタル系入力端子と、前記アナログ系入力端子からのアナログ系ビデオ信号
および前記第２の記録再生機器からのアナログ系ビデオ信号の何れかを選択出力する第１
の選択手段と、前記第１の入力端子からのアナログ系ビデオ信号および前記複数のデジタ
ル系入力端子からの各種デジタル系ビデオ信号の何れかを選択出力する第２の選択手段と
、前記第１の記録再生機器からのアナログ系ビデオ信号または前記第２の記録再生機器か
らのアナログ系ビデオ信号を選択出力する第３の選択手段と、該第３の選択手段からのア
ナログ系ビデオ信号を外部へ出力するための第１の出力端子と、前記第２の記録再生機器
からの各種デジタル系ビデオ信号をそれぞれ外部へ出力するための複数の第２の出力端子
とを備えたことを特徴とする複合記録再生装置。
【請求項３】
前記第２の選択手段が前記デジタル系入力端子からの各種デジタル系ビデオ信号のうち
の何れかを選択し、前記第１の記録再生装置に記録させる場合は、前記第２の選択手段の
動作に連動させて前記第２の記録再生機器のアナログ出力側に前記第１の選択手段を切り
換える切換制御手段を備えたことを特徴とする請求項２に記載の複合記録再生装置。
【請求項４】
前記アナログ系ビデオ信号とはコンポジットビデオ信号であり、前記各種デジタル系ビ
デオ信号とはＹＣビデオ信号とデジタルビデオ信号とコンポーネントビデオ信号であり、
前記アナログ系入力端子とはコンポジットビデオ信号を入力するための１個以上の第１の
入力端子であり、前記デジタル系入力端子とは、ＹＣビデオ信号を入力するための第２の
入力端子と、デジタルビデオ信号を入力するための第３の入力端子と、コンポーネントビ
デオ信号を入力するための第４の入力端子であることを特徴とする請求項２に記載の複合
記録再生装置。
【請求項５】
前記第１の記録再生機器とはアナログ記録再生機器であり、前記第２の記録再生機器と
はデジタル記録再生機器であることを特徴とする請求項２に記載の複合記録再生装置。
【発明の詳細な説明】
【技術分野】
【０００１】
本発明は、アナログ系のコンポジットビデオ信号を入力して記録／再生することが可能
なＶＴＲ（ビデオ・テープ・レコーダ）やＶＣＲ（ビデオ・カセット・レコーダ）などの
アナログ記録再生機器と、コンポジットビデオ信号とＹＣ（輝度・色差）ビデオ信号とデ
ジタルビデオ信号とコンポーネントビデオ信号との何れかを入力して記録／再生すること
が可能なＤＶＤ（デジタル・バーサタイル・ディスク）レコーダなどのデジタル記録再生
機器とを備えた複合記録再生装置に関する。
【背景技術】
【０００２】
従来から、アナログ系のコンポジットビデオ信号を入力して記録／再生することが可能
なＶＴＲやＶＣＲなどのアナログ記録再生機器が知られている。また、近年では、コンポ
ジットビデオ信号とＹＣビデオ信号とデジタルビデオ信号とコンポーネントビデオ信号と
の何れかを入力して記録／再生することが可能なＤＶＤレコーダなどのデジタル記録再生
機器が普及してきている。
【０００３】
そして、例えば、アナログ記録再生機器であるＶＣＲとデジタル記録再生機器であるＤ
ＶＤレコーダとを複合した複合記録再生装置も普及してきている。このような複合記録再
生装置は、入力した信号を切り換えてＶＣＲまたはＤＶＤレコーダに供給する信号切換回
路を備えている。
【０００４】
図２はこの種の従来の複合記録再生装置における信号切換回路を示す回路図である。図
２において、この複合記録再生装置は、第１のコンポジットビデオ信号を入力するための
第１のコンポジット入力端子２１と、第２のコンポジットビデオ信号を入力するための第
２のコンポジット入力端子２２と、ＹＣビデオ信号を入力するためのＳ入力端子２３と、
デジタルビデオ信号を入力するためのＤＶ入力端子２４と、コンポーネントビデオ信号を
入力するためのコンポーネント入力端子２５，２６，２７と、コンポジット入力端子２１
またはコンポジット入力端子２２からのコンポジットビデオ信号を選択出力する入力セレ
クタ２８と、第１のコンポジット入力端子２１からの第１のコンポジットビデオ信号と第
２のコンポジット入力端子２２からの第２のコンポジットビデオ信号とＳ入力端子２３か
らのＹＣビデオ信号とＤＶ入力端子２４からのデジタルビデオ信号とコンポーネント入力
端子２５，２６，２７からのコンポーネントビデオ信号との何れかを選択出力する入力セ
レクタ２９とを備えている。
【０００５】
また、この複合記録再生装置は、ＶＣＲ３０からのコンポジットビデオ信号またはＤＶ
Ｄレコーダ３１からのコンポジットビデオ信号を選択出力する出力セレクタ３２と、該出
力セレクタ３２からのコンポジットビデオ信号を外部へ出力するためのコンポジット出力
端子３３と、ＤＶＤレコーダ３１からのＹＣビデオ信号を外部へ出力するためのＳ出力端
子３４と、ＤＶＤレコーダ３１からのコンポーネントビデオ信号を外部へ出力するための
コンポーネント出力端子３３とを備えている。
【０００６】
次に、この複合記録再生装置における切換動作について説明する。外部機器からのコン
ポジットビデオ信号を第１のコンポジット入力端子２１で入力したとする。そのコンポジ
ットビデオ信号をＶＣＲ３０で記録する場合は、入力セレクタ２８は図示しない切換制御
回路によりコンポジット入力端子２１側に切り換えられる。また、そのコンポジットビデ
オ信号をＤＶＤレコーダ３１で記録する場合は、入力セレクタ２９は切換制御回路により
コンポジット入力端子２１側に切り換えられる。
【０００７】
また、外部機器からのＹＣビデオ信号をＳ入力端子２３で入力した場合は、入力セレク
タ２９は切換制御回路によりＳ入力端子２３側に切り換えられ、そのＹＣビデオ信号はＤ
ＶＤレコーダ３１で記録される。また、外部機器からのデジタルビデオ信号をＤＶ入力端
子２４で入力した場合は、入力セレクタ２９は切換制御回路によりＤＶ入力端子２４側に
切り換えられ、そのデジタルビデオ信号はＤＶＤレコーダ３１で記録される。また、外部
機器からのコンポーネントビデオ信号をコンポーネント入力端子２５，２６，２７で入力
した場合は、入力セレクタ２９は切換制御回路によりコンポーネント入力端子２５，２６
，２７側に切り換えられ、そのコンポーネントビデオ信号はＤＶＤレコーダ３１で記録さ
れる。
【０００８】
コンポジット出力端子３３にモニタ装置として例えばアナログのテレビジョン受信機が
接続されており、ＶＣＲ３０からの再生コンポジットビデオ信号をアナログのテレビジョ
ン受信機に入力する場合は、出力セレクタ３２は切換制御回路によりＶＣＲ３０側に切り
換えられる。一方、ＤＶＤレコーダ３１からの再生コンポジットビデオ信号をアナログの
テレビジョン受信機に入力する場合は、出力セレクタ３２は切換制御回路によりＤＶＤレ
コーダ３１側に切り換えられる。
【０００９】
例えば、Ｓ出力端子３４にモニタ装置として例えばデジタルテレビジョン受信機のＳ入
力端子が接続された場合、ＤＶＤレコーダ３１からの再生ＹＣビデオ信号がＳ出力端子３
４を介して前記デジタルテレビジョン受信機のＳ入力端子に入力される。また、コンポー
ネント出力端子３５，３６，３７にモニタ装置として例えばデジタルテレビジョン受信機
のコンポーネント入力端子が接続された場合、ＤＶＤレコーダ３１からの再生コンポーネ
ントビデオ信号がコンポーネント出力端子３５，３６，３７を介して前記デジタルテレビ
ジョン受信機のコンポーネント入力端子に入力される。
【特許文献１】特開平１１−２７６９７号公報
【発明の開示】
【発明が解決しようとする課題】
【００１０】
このように従来の複合記録再生装置においては、アナログ系のコンポジットビデオ信号
は、ＶＣＲなどのアナログ記録再生機器またはＤＶＤレコーダなどのデジタル記録再生機
器で記録することができ、ＹＣビデオ信号とデジタルビデオ信号とコンポーネントビデオ
信号は、ＤＶＤレコーダなどのデジタル記録再生機器で記録することができるように構成
されている。しかしながら、ＹＣビデオ信号とデジタルビデオ信号とコンポーネントビデ
オ信号は、ＶＣＲなどのアナログ記録再生機器に記録することはできないという課題があ
る。
【００１１】
なお、特許文献１の従来技術は、コンポーネントビデオ信号とコンポジットビデオ信号
とＹＣビデオ信号の中で少なくとも一種類以上のビデオ信号をそれぞれ入力可能な複数の
独立したビデオ信号記録手段を有した映像信号記録装置において、例えば、選択された一
つのビデオ信号記録手段が記録するビデオ信号と同一のビデオ信号を他の少なくとも一つ
以上のビデオ信号記録手段に入力するようにしたものであり、アナログ系のコンポジット
ビデオ信号を入力して記録／再生することが可能なアナログ記録再生機器と、コンポジッ
トビデオ信号とＹＣビデオ信号とデジタルビデオ信号とコンポーネントビデオ信号との何
れかを入力して記録／再生することが可能なデジタル記録再生機器とを備えた複合記録再
生装置に関するものではない。
【００１２】
本発明は、上記のような課題を解決するためになされたもので、デジタル記録再生機器
には直接記録できるが、アナログ記録再生機器に直接記録することができないビデオ信号
も、アナログ記録再生機器に記録することができる複合記録再生装置を提供することを目
的とする。
【課題を解決するための手段】
【００１３】
上記目的を達成するために、請求項１の発明は、コンポジットビデオ信号を入力して記
録／再生することが可能なアナログ記録再生機器と、コンポジットビデオ信号とＹＣビデ
オ信号とデジタルビデオ信号とコンポーネントビデオ信号との何れかを入力して記録／再
生することが可能なデジタル記録再生機器とを備えた複合記録再生装置において、コンポ
ジットビデオ信号を入力するための１個以上の第１の入力端子と、ＹＣビデオ信号を入力
するための第２の入力端子と、デジタルビデオ信号を入力するための第３の入力端子と、
コンポーネントビデオ信号を入力するための第４の入力端子と、前記第１の入力端子から
のコンポジットビデオ信号および前記デジタル機器からのコンポジットビデオ信号の何れ
かを選択出力する第１の選択手段と、前記第１の入力端子からのコンポジットビデオ信号
と前記第２の入力端子からのＹＣビデオ信号と前記第３の入力端子からのデジタルビデオ
信号と前記第４の入力端子からのコンポーネントビデオ信号との何れかを選択出力する第
２の選択手段と、前記アナログ記録再生機器からのコンポジットビデオ信号または前記デ
ジタル記録再生機器からのコンポジットビデオ信号を選択出力する第３の選択手段と、該
第３の選択手段からのコンポジットビデオ信号を外部へ出力するための第１の出力端子と
、前記デジタル記録再生機器からのＹＣビデオ信号を外部へ出力するための第２の出力端
子と、前記デジタル記録再生機器からのコンポーネントビデオ信号を外部へ出力するため
の第３の出力端子と、前記第２の選択手段が前記第２の入力端子からのＹＣビデオ信号ま
たは前記第３の入力端子からのデジタルビデオ信号または前記第４の入力端子からのコン
ポーネントビデオ信号を選択し前記アナログ記録再生装置に記録させる場合は、前記第２
の選択手段の動作に連動させて前記デジタル記録再生機器のコンポジット出力側に前記第
１の選択手段を切り換える切換制御手段とを備えたことを特徴とする複合記録再生装置を
提供する。
【００１４】
この構成においては、コンポジットビデオ信号はアナログ記録再生機器またはデジタル
記録再生機器で記録可能である。コンポジットビデオ信号、ＹＣビデオ信号、デジタルビ
デオ信号、およびコンポーネントビデオ信号は、デジタル記録再生機器で記録可能である
。ここで、例えば、ＹＣビデオ信号をアナログ記録再生機器に記録させる場合、切換制御
手段は、第２の選択手段を第２の入力端子側に切り換え、第１の選択手段をデジタル記憶
再生機器の出力側に切り換える。これにより、第２の入力端子より入力されたＹＣビデオ
信号は、第２の選択手段を介してデジタル記録再生機器に与えられ、デジタル記録再生機
器の変換機能によりコンポジットビデオ信号に変換され、第１の選択手段を介してアナロ
グ記録再生機器に送られる。この結果、第２の入力端子より入力されたＹＣビデオ信号は
、コンポジットビデオ信号としてアナログ記録再生機器に記録されることになる。デジタ
ルビデオ信号およびコンポーネントビデオ信号についても、同様にアナログ記録再生機器
にコンポジットビデオ信号として記録することが可能である。
【００１５】
この構成によれば、デジタル記録再生機器には直接記録できるが、アナログ記録再生機
器に直接記録することができないＹＣビデオ信号、デジタルビデオ信号およびコンポーネ
ントビデオ信号についても、アナログ記録再生機器に記録することができるようになり、
使い勝手が向上する。
【００１６】
請求項２の発明は、アナログ系ビデオ信号を入力して記録／再生することが可能な第１
の記録再生機器と、デジタル系ビデオ信号またはアナログ系ビデオ信号を入力して記録／
再生することが可能な第２の記録再生機器とを備えた複合記録再生装置において、アナロ
グ系ビデオ信号を入力するための１個以上のアナログ系入力端子と、各種デジタル系ビデ
オ信号を入力するための複数のデジタル系入力端子と、前記アナログ系入力端子からのア
ナログ系ビデオ信号および前記第２の記録再生機器からのアナログ系ビデオ信号の何れか
を選択出力する第１の選択手段と、前記第１の入力端子からのアナログ系ビデオ信号およ
び前記複数のデジタル系入力端子からの各種デジタル系ビデオ信号の何れかを選択出力す
る第２の選択手段と、前記第１の記録再生機器からのアナログ系ビデオ信号または前記第
２の記録再生機器からのアナログ系ビデオ信号を選択出力する第３の選択手段と、該第３
の選択手段からのアナログ系ビデオ信号を外部へ出力するための第１の出力端子と、前記
第２の記録再生機器からの各種デジタル系ビデオ信号をそれぞれ外部へ出力するための複
数の第２の出力端子とを備えたことを特徴とする複合記録再生装置を提供する。
【００１７】
この構成においては、アナログ系ビデオ信号は第１の記録再生機器または第２の記録再
生機器で記録可能である。デジタル系ビデオ信号は第２の記録再生機器で記録可能である
。ここで、例えば、デジタル系ビデオ信号を第１の記録再生機器に記録させる場合、第１
の選択手段を第２の記憶再生機器の出力側に切り換える。これにより、デジタル系入力端
子より入力されたデジタル系ビデオ信号は、第２の選択手段を介して第２の記録再生機器
に与えられ、第２の記録再生機器の変換機能によりアナログ系ビデオ信号に変換され、第
１の選択手段を介して第１の記録再生機器に送られる。この結果、デジタル系入力端子よ
り入力されたデジタル系ビデオ信号は、アナログ系ビデオ信号として第１の記録再生機器
に記録されることになる。
【００１８】
この構成によれば、第２の記録再生機器には直接記録できるが、第１の記録再生機器に
直接記録することができないデジタル系ビデオ信号についても、第１の記録再生機器に記
録することができるようになり、使い勝手が向上する。
【００１９】
請求項３の発明では、請求項２の発明において、第２の選択手段がデジタル系入力端子
からの各種デジタル系ビデオ信号のうちの何れかを選択し、第１の記録再生機器に記録さ
せる場合は、第２の選択手段の動作に連動させて第２の記録再生機器のアナログ出力側に
第１の選択手段を切り換える切換制御手段を備えたので、第２の記録再生機器には直接記
録できるが、第１の記録再生機器に直接記録することができないデジタル系ビデオ信号に
ついても、第１の記録再生機器に記録することが可能になる。
【００２０】
請求項４の発明では、請求項２の発明において、アナログ系ビデオ信号とはコンポジッ
トビデオ信号であり、各種デジタル系ビデオ信号とはＹＣビデオ信号とデジタルビデオ信
号とコンポーネントビデオ信号であり、アナログ系入力端子とはコンポジットビデオ信号
を入力するための１個以上の第１の入力端子であり、デジタル系入力端子とは、ＹＣビデ
オ信号を入力するための第２の入力端子と、デジタルビデオ信号を入力するための第３の
入力端子と、コンポーネントビデオ信号を入力するための第４の入力端子であるので、コ
ンポジットビデオ信号、ＹＣビデオ信号、デジタルビデオ信号、コンポーネントビデオ信
号を入力して、記録することができるシステムを実現できる。
【００２１】
請求項５の発明では、請求項２の発明において、第１の記録再生機器とはアナログ記録
再生機器であり、第２の記録再生機器とはデジタル記録再生機器であるので、アナログ系
ビデオ信号およびデジタル系ビデオ信号を記録／再生することができる。
【発明の効果】
【００２２】
以上のように本発明によれば、コンポジットビデオ信号を入力して記録／再生すること
が可能なアナログ記録再生機器と、コンポジットビデオ信号とＹＣビデオ信号とデジタル
ビデオ信号とコンポーネントビデオ信号との何れかを入力して記録／再生することが可能
なデジタル記録再生機器とを備えた複合記録再生装置において、コンポジットビデオ信号
を入力するための１個以上の第１の入力端子と、ＹＣビデオ信号を入力するための第２の
入力端子と、デジタルビデオ信号を入力するための第３の入力端子と、コンポーネントビ
デオ信号を入力するための第４の入力端子と、前記第１の入力端子からのコンポジットビ
デオ信号および前記デジタル機器からのコンポジットビデオ信号の何れかを選択出力する
第１の選択手段と、前記第１の入力端子からのコンポジットビデオ信号と前記第２の入力
端子からのＹＣビデオ信号と前記第３の入力端子からのデジタルビデオ信号と前記第４の
入力端子からのコンポーネントビデオ信号との何れかを選択出力する第２の選択手段と、
前記アナログ記録再生機器からのコンポジットビデオ信号または前記デジタル記録再生機
器からのコンポジットビデオ信号を選択出力する第３の選択手段と、該第３の選択手段か
らのコンポジットビデオ信号を外部へ出力するための第１の出力端子と、前記デジタル記
録再生機器からのＹＣビデオ信号を外部へ出力するための第２の出力端子と、前記デジタ
ル記録再生機器からのコンポーネントビデオ信号を外部へ出力するための第３の出力端子
と、前記第２の選択手段が前記第２の入力端子からのＹＣビデオ信号または前記第３の入
力端子からのデジタルビデオ信号または前記第４の入力端子からのコンポーネントビデオ
信号を選択し前記アナログ記録再生装置に記録させる場合は、前記第２の選択手段の動作
に連動させて前記デジタル記録再生機器のコンポジット出力側に前記第１の選択手段を切
り換える切換制御手段とを備えたので、デジタル記録再生機器には直接記録できるが、ア
ナログ記録再生機器に直接記録することができないＹＣビデオ信号、デジタルビデオ信号
およびコンポーネントビデオ信号についても、アナログ記録再生機器に記録することがで
きるようになり、使い勝手が向上する。また、ＹＣビデオ信号、デジタルビデオ信号、コ
ンポーネントビデオ信号をアナログ系ビデオ信号に変換してアナログ記録再生装置に記録
させるための、前記第１の選択手段におけるデジタル記録再生機器のコンポジット出力側
への切り換えは簡単な回路構成で安価に実現できる。
【００２３】
また、本発明によれば、アナログ系ビデオ信号を入力して記録／再生することが可能な
第１の記録再生機器と、デジタル系ビデオ信号またはアナログ系ビデオ信号を入力して記
録／再生することが可能な第２の記録再生機器とを備えた複合記録再生装置において、ア
ナログ系ビデオ信号を入力するための１個以上のアナログ系入力端子と、各種デジタル系
ビデオ信号を入力するための複数のデジタル系入力端子と、前記アナログ系入力端子から
のアナログ系ビデオ信号および前記第２の記録再生機器からのアナログ系ビデオ信号の何
れかを選択出力する第１の選択手段と、前記第１の入力端子からのアナログ系ビデオ信号
および前記複数のデジタル系入力端子からの各種デジタル系ビデオ信号の何れかを選択出
力する第２の選択手段と、前記第１の記録再生機器からのアナログ系ビデオ信号または前
記第２の記録再生機器からのアナログ系ビデオ信号を選択出力する第３の選択手段と、該
第３の選択手段からのアナログ系ビデオ信号を外部へ出力するための第１の出力端子と、
前記第２の記録再生機器からの各種デジタル系ビデオ信号をそれぞれ外部へ出力するため
の複数の第２の出力端子とを備えたので、第２の記録再生機器には直接記録できるが、第
１の記録再生機器に直接記録することができないデジタル系ビデオ信号についても、第１
の記録再生機器に記録することができるようになり、使い勝手が向上する。また、デジタ
ル系ビデオ信号をアナログ系ビデオ信号に変換して第１の記録再生装置に記録させるため
の、前記第１の選択手段における第２の記録再生機器のアナログ出力側への切り換えは簡
単な回路構成で安価に実現できる。
【発明を実施するための最良の形態】
【００２４】
以下、添付図面を参照しつつ、本発明の実施の形態について説明する。図１は本発明の
一実施形態に係る複合記録再生装置における信号切換回路を示す回路図である。
【００２５】
この複合記録再生装置は、第１のコンポジットビデオ信号を入力するための第１のコン
ポジット入力端子１と、第２のコンポジットビデオ信号を入力するための第２のコンポジ
ット入力端子２と、ＹＣビデオ信号を入力するためのＳ入力端子３と、デジタルビデオ信
号を入力するためのＤＶ入力端子４と、コンポーネントビデオ信号を入力するためのコン
ポーネント入力端子５，６，７と、コンポジット入力端子１，２からのコンポジットビデ
オ信号およびＤＶＤレコーダ１１からのコンポジットビデオ信号の何れかを選択出力する
入力セレクタ８と、第１のコンポジット入力端子１からの第１のコンポジットビデオ信号
と第２のコンポジット入力端子２からの第２のコンポジットビデオ信号とＳ入力端子３か
らのＹＣビデオ信号とＤＶ入力端子４からのデジタルビデオ信号とコンポーネント入力端
子５，６，７からのコンポーネントビデオ信号との何れかを選択出力する入力セレクタ９
とを備えている。
【００２６】
また、この複合記録再生装置は、ＶＣＲ１０からのコンポジットビデオ信号またはＤＶ
Ｄレコーダ１１からのコンポジットビデオ信号を選択出力する出力セレクタ１２と、該出
力セレクタ１２からのコンポジットビデオ信号を外部へ出力するためのコンポジット出力
端子１３と、ＤＶＤレコーダ１１からのＹＣビデオ信号を外部へ出力するためのＳ出力端
子１４と、ＤＶＤレコーダ１１からのコンポーネントビデオ信号を外部へ出力するための
コンポーネント出力端子１５，１６，１７と、入力セレクタ９がＳ入力端子３からのＹＣ
ビデオ信号またはＤＶ入力端子４からのデジタルビデオ信号またはコンポーネント入力端
子５，６，７からのコンポーネントビデオ信号を選択し、ＶＣＲ１０に記録させる場合は
、入力セレクタ９の動作に連動させてＤＶＤレコーダ１１からのコンポジットビデオ信号
を選択する側に入力セレクタ８を切り換える制御などを行う切換制御回路１４とを備えて
いる。
【００２７】
次に、この複合記録再生装置における切換動作について説明する。外部機器からのコン
ポジットビデオ信号を第１のコンポジット入力端子１で入力したとする。そのコンポジッ
トビデオ信号をＶＣＲ１０で記録する場合は、入力セレクタ８は切換制御回路１８により
接点Ｂに切り換えられる。また、そのコンポジットビデオ信号をＤＶＤレコーダ１１で記
録する場合は、切換制御回路１８により入力セレクタ８の接点Ｂは開放され、入力セレク
タ９は接点Ｂに切り換えられる。
【００２８】
また、外部機器からのＹＣビデオ信号をＳ入力端子３で入力した場合は、入力セレクタ
９は切換制御回路１８により接点Ｃに切り換えられ、そのＹＣビデオ信号はＤＶＤレコー
ダ１１で記録される。また、外部機器からのデジタルビデオ信号をＤＶ入力端子４で入力
した場合は、入力セレクタ９は切換制御回路１８により接点Ｄに切り換えられ、そのデジ
タルビデオ信号はＤＶＤレコーダ１１で記録される。また、外部機器からのコンポーネン
トビデオ信号をコンポーネント入力端子５，６，７で入力した場合は、入力セレクタ９は
切換制御回路１８により接点Ｅに切り換えられ、そのコンポーネントビデオ信号はＤＶＤ
レコーダ１１で記録される。
【００２９】
コンポジット出力端子１３にモニタ装置として例えばアナログのテレビジョン受信機の
コンポジット入力端子が接続されており、ＶＣＲ１０からの再生コンポジットビデオ信号
をアナログのテレビジョン受信機に入力する場合は、出力セレクタ１２は切換制御回路１
８により接点ａに切り換えられる。一方、ＤＶＤレコーダ１１からの再生コンポジットビ
デオ信号をアナログのテレビジョン受信機に入力する場合は、出力セレクタ１２は切換制
御回路１８により接点ｂに切り換えられる。
【００３０】
Ｓ出力端子１４にモニタ装置として例えばデジタルテレビジョン受信機の入力端子が接
続された場合、ＤＶＤレコーダ１１からの再生ＹＣビデオ信号がＳ出力端子１４を介して
前記デジタルテレビジョン受信機に入力される。また、コンポーネント出力端子１５，１
６，１７にモニタ装置として例えばデジタルテレビジョン受信機のコンポーネント入力端
子が接続された場合、ＤＶＤレコーダ１１からの再生コンポーネントビデオ信号がコンポ
ーネント出力端子１５，１６，１７を介して前記デジタルテレビジョン受信機に入力され
る。
【００３１】
ここで、Ｓ入力端子３で入力したＹＣビデオ信号をＶＣＲ１０に記録させる場合を説明
する。この場合、切換制御回路１８は、入力セレクタ９を接点Ｃに切り換え、これに連動
して入力セレクタ８を接点Ａに切り換える。これにより、Ｓ入力端子３より入力されたＹ
Ｃビデオ信号は、入力セレクタ９の接点Ｃを介してＤＶＤレコーダ１１に与えられ、ＤＶ
Ｄレコーダ１１の変換機能によりコンポジットビデオ信号に変換され、入力セレクタ８の
接点Ａを介してＶＣＲ１０に送られる。この結果、Ｓ入力端子３より入力されたＹＣビデ
オ信号は、コンポジットビデオ信号としてＶＣＲ１０に記録されることになる。なお、Ｄ
ＶＤレコーダ１１からのコンポジットビデオ信号をダビングする場合も、入力セレクタ８
を接点Ａに設定することにより、ダビングが可能になる。
【００３２】
以上説明した実施形態によれば、ＤＶＤレコーダ１１には直接記録できるが、ＶＣＲ１
０に直接記録することができないＹＣビデオ信号、デジタルビデオ信号およびコンポーネ
ントビデオ信号についても、ＶＣＲ１０に記録することができるようになり、使い勝手が
向上する。また、ＹＣビデオ信号、デジタルビデオ信号、コンポーネントビデオ信号をア
ナログ系ビデオ信号に変換してＶＣＲ１０に記録させるための、入力セレクタ８における
ＤＶＤレコーダ１１の出力側への切り換えは簡単な回路構成で安価に実現できる。
【００３３】
なお、上記実施形態では、アナログ記録再生機器としてＶＣＲを例に挙げて説明したが
、これに限らずＶＴＲでも良い。また、デジタル記録再生機器としてＤＶＤレコーダを例
に挙げて説明したが、これに限らずハードディスクレコーダでも良い。
【図面の簡単な説明】
【００３４】
【図１】本発明の一実施形態に係る複合記録再生装置における信号切換回路を示す回路図である。
【図２】従来の複合記録再生装置における信号切換回路を示す回路図である。
【符号の説明】
【００３５】
１    第１のコンポジット入力端子（第１の入力端子）
２    第２のコンポジット入力端子（第１の入力端子）
３    Ｓ入力端子（第２の入力端子）
４    ＤＶ入力端子（第３の入力端子）
５，６，７コンポーネント入力端子（第４の入力端子）
８    入力セレクタ（第１の選択手段）
９    入力セレクタ（第２の選択手段）
１０    ＶＣＲ（アナログ記録再生機器、第１の記録再生機器）
１１    ＤＶＤレコーダ（デジタル記録再生機器、第２の記録再生機器）
１２    出力セレクタ（第３の選択手段）
１３    コンポジット出力端子（第１の出力端子）
１４    Ｓ出力端子（第２の出力端子）
１５，１６，１７    コンポーネント出力端子（第３の出力端子）
１８    切換制御回路（切換制御手段）
【図１】
2005318187.tif 000003
【図２】
2005318187.tif 000004